(57)【特許請求の範囲】
【請求項１】
塵埃を吸引するためのファンモーターと、塵埃を吸引する吸込み具に連通し塵埃を捕集するための集塵室と、吸引した塵埃を捕集する集塵袋と、前記集塵袋を保持するホルダーと、前記集塵室を覆う蓋とを備え、前記ホルダーは前記集塵袋を保持した状態で前記集塵室に回動自在に取りつけられ、前記ホルダーを収納方向に回動する際、ホルダーが所定の角度となった後に変形が開始するバネを有し、前記蓋が開のとき前記弾性体の付勢により前記所定の角度まで前記ホルダーが回動するように構成されており、前記バネは、前記集塵室内に設けたリブに当接するように配置されており、前記ホルダーには、前記ホルダーから前記バネの内部に延出し、前記バネを保持するガイド部が設けられており、前記ガイド部は前記バネの開放方向から前記バネの内側に延出すると共に、前記ホルダーのバネ取付部近傍に傾斜面を形成し、前記傾斜面に沿ってバネを挿入するように構成したことを特徴とする電気掃除機。
【発明の詳細な説明】
【技術分野】
【０００１】
本発明は一般家庭で使用される電気掃除機に関するもので、特に使用性に関するものである。
【背景技術】
【０００２】
従来の電気掃除機を、図７を用いて説明する。
【０００３】
図７に示す電気掃除機は、塵埃を吸引するためのファンモーター１０と、塵埃を吸引する吸込み具（図示せず）に連通し、塵埃を捕集するための集塵室１１と、吸引した塵埃を捕集する集塵袋１２を保持し、前記集塵室１１に回動自在に取りつけられたホルダー１３
を備えている。そして、集塵室を覆うための蓋１４が一端に設けたヒンジを支点として回動自在に構成されている（例えば、特許文献１参照）。
【特許文献１】特開平１−３１４５２９号公報
【発明の開示】
【発明が解決しようとする課題】
【０００４】
しかしながら上記従来の電気掃除機の構成では、集塵袋１２をホルダーにセットした状態で蓋１４を閉める際にホルダー１３が大きく開いていると蓋１４に干渉して閉じることが出来なくなることから所定の角度以上に開かないようにしてある。従って、集塵袋１２を交換するために集塵袋１２をホルダー１３から外そうとしても、ホルダー１３が大きな角度で回動できない構成のため塵埃で一杯になった集塵袋１２がなかなか取り出せなく、使用性が悪いという問題点があった。
【０００５】
本発明は上記課題を解決するもので、使用性に優れた電気掃除機を提供することを目的としている。
【課題を解決するための手段】
【０００６】
上記課題を解決するために本発明は、塵埃を吸引するためのファンモーターと、塵埃を吸引する吸込み具に連通し塵埃を捕集するための集塵室と、吸引した塵埃を捕集する集塵袋と、前記集塵袋を保持するホルダーと、前記集塵室を覆う蓋とを備え、前記ホルダーは前記集塵袋を保持した状態で前記集塵室に回動自在に取りつけられ、前記ホルダーを収納方向に回動する際、ホルダーが所定の角度となった後に変形が開始するバネを有し、前記蓋が開のとき前記弾性体の付勢により前記所定の角度まで前記ホルダーが回動するように構成されており、前記バネは、前記集塵室内に設けたリブに当接するように配置されており、前記ホルダーには、前記ホルダーから前記バネの内部に延出し、前記バネを保持するガイド部が設けられており、前記ガイド部は前記バネの開放方向から前記バネの内側に延出すると共に、前記ホルダーのバネ取付部近傍に傾斜面を形成し、前記傾斜面に沿ってバネを挿入するように構成したことにより、前記集塵袋を交換するために前記集塵袋を前記ホルダーから外す際に、前記ホルダーが大きな角度で回動可能なため、塵埃で一杯になった前記集塵袋も略上方に引っ張るだけで容易に取り出すことができるため使用性に優れた電気掃除機を提供することができる。
【発明の効果】
【０００７】
本発明の電気掃除機によると集塵袋を交換するのが容易となり、使用性に優れた電気掃除機を提供することができる。
【発明を実施するための最良の形態】
【０００８】
第１の発明は、塵埃を吸引するためのファンモーターと、塵埃を吸引する吸込み具に連通し塵埃を捕集するための集塵室と、吸引した塵埃を捕集する集塵袋と、前記集塵袋を保持するホルダーと、前記集塵室を覆う蓋とを備え、前記ホルダーは前記集塵袋を保持した状態で前記集塵室に回動自在に取りつけられ、前記ホルダーを収納方向に回動する際、ホルダーが所定の角度となった後に変形が開始する弾性体を有し、前記蓋が開のとき前記弾性体の付勢により前記所定の角度まで前記ホルダーが回動するように構成されており、前記弾性体はバネで構成されており、前記バネは、前記集塵室内に設けたリブに当接するように配置されており、前記ホルダーには、前記ホルダーから前記バネの内部に延出し、前記バネを保持するガイド部が設けられており、前記ガイド部は前記バネの開放方向から前記バネの内側に延出すると共に、前記ホルダーのバネ取付部近傍に傾斜面を形成し、前記傾斜面に沿ってバネを挿入するように構成したことにより、前記集塵袋を交換するために前記集塵袋を前記ホルダーから外す際に、前記ホルダーが大きな角度で回動可能なため、塵埃で一杯になった前記集塵袋も略上方に引っ張るだけで容易に取り出すことができるた
め使用性に優れた電気掃除機を提供することができる。
【０００９】
また、弾性体をバネで構成し、集塵室内に設けたリブに前記バネが当接する様に構成したもので、容易に実現することが可能となる。
【００１０】
また前記バネを前記ホルダー側に固定させることにより、組立時に事前に別工程にて準備することができるため、生産性に優れた電気掃除機を提供することができる。
【００１１】
さらに、バネを保持する為のガイド部をホルダーからバネの内部に延出して構成したことにより、使用中に前記バネが外れることによる前記ホルダーの動作不良を防止することができ使用性に優れた電気掃除機を提供することができる。
【００１２】
また、ガイド部はバネの開放方向からバネの内側に延出すると共に、ホルダーのバネ取付部近傍に傾斜面を形成し、前記傾斜面に沿ってバネを挿入するように構成したことにより、前記バネを前記傾斜面に滑らすように前記ホルダーに取りつけることができ、生産性を改善できる電気掃除機を提供することができる。
【００１３】
（実施の形態１）
本発明の第１の実施の形態について図１〜図６を用いて説明する。
【００１４】
図１〜図６において、本体１は塵埃を吸引するためのファンモーター２と、塵埃を吸引する吸込み具（図示せず）に連通し、塵埃を捕集するための集塵室３と、集塵室を覆う蓋１５と、吸引した塵埃を捕集する集塵袋４を保持し、集塵室３に回動自在に取りつけられたホルダー５を備えている。
【００１５】
集塵室３にはホルダー５の回動方向の閉じる場合の位置規制を行うリブ６を設け、リブ６に接触させることによりホルダー５に与圧を与えるバネ７をホルダー５に内臓している。
【００１６】
また、８はバネ７の略内部にホルダー５から形成したバネ７外れ防止用のガイド部であり、９はバネ７取り付け時にバネ７を滑らせるための傾斜面である。
【００１７】
以上のように構成された電気掃除機について図１〜図６を用いてその動作、作用を説明する。
【００１８】
図２（ａ）は、蓋１５を閉じた状態を示す断面図であり、蓋１５はロック部１６で本体に保持されている。この蓋１５を閉じた状態において、ホルダー５は蓋１５に抑えられて集塵室３に収められている。この際、バネ７はリブ６に当接し圧力を受けた状態で保持されている。次に、図２（ｂ）に示すようにロック部１６を解除して蓋１５を開くと、バネ７の付勢によりホルダー５は閉じた状態から所定の角度Ａまで回動する。この角度Ａは蓋１５を閉じる際にホルダー５が蓋１５に押されて閉じることが出来る角度であり、これ以上開いた状態で蓋１５を閉じようとすると蓋１５とホルダー５が干渉して閉じることが出来ない。更に、図２（ｃ）に示すように、手動により角度Ａ以上の角度Ｂまで開くことが可能となっている。
【００１９】
従って、塵埃で一杯になった集塵袋４を交換するために集塵袋４をホルダー５から外す際に、ホルダー５が大きな角度で回動可能なため、塵埃で一杯になった集塵袋４も略上方に引っ張るだけで容易に取り出すことができるため使用性に優れた電気掃除機を提供することができる。
【００２０】
また、バネ７をホルダー５側に固定させることにより、組立時に事前に別工程にて準備することができるため、生産性に優れた電気掃除機を提供することができる。
【００２１】
また、図３は集塵室に設けたリブとホルダーに備えたバネの関係の詳細を示す要部断面図であるが、図に示すようにバネ７の内部にホルダー５から延出形成したガイド部８を設けてあり、使用中にバネ７が外れることによるホルダー５の動作不良を防止することができ使用性に優れた電気掃除機を提供することができる。
【００２２】
また、図４は蓋が閉じた状態におけるバネとリブとガイド部の関係を示す図であるが、図に示すように、リブ６がバネ７を最も押しこむ位置より更に奥までガイド部８を形成することにより、理論上バネ７が使用中に外れることがあり得なくなる為、使用中のバネ７外れを完全に防止でき使用性に優れた電気掃除機を提供することができる。
【００２３】
また、図５は、バネを保持するホルダーの詳細を示す図であるが、図に示すように、リブ６を板状に形成し、リブ６とバネ７の内側との隙間にガイド部を形成しており、リブ６を挟む位置に複数のガイド部８を形成することにより、ホルダー５回動時にホルダー５のゆがみまたはねじれが発生することによる動作不良を防止でき使用性に優れた電気掃除機を提供することができる。
【００２４】
また、図６は、バネをホルダーに装着する際の状態を示すもので、図に示すように、ホルダー５のバネ７取付部近傍に傾斜面９を形成することにより、バネ７を傾斜面９に滑らすようにホルダー５に取りつけることができ、生産性を改善できる電気掃除機を提供することができる。
【００２５】
以上のように本実施の形態においては、特に使用性を向上させた電気掃除機を提供することができる。
【産業上の利用可能性】
【００２６】
以上のように、本発明にかかる電気掃除機は使用性を向上させた極めて有用なものである。
【図面の簡単な説明】
【００２７】
【図１】本発明の実施の形態１を示す電気掃除機の要部断面図
【図２】（ａ）同実施の形態における蓋を閉じたときの要部断面図（ｂ）同実施の形態における蓋を開けたときの要部断面図（ｃ）同実施の形態におけるホルダーを手動で回動させたときの要部断面図
【図３】同電気掃除機の要部断面図
【図４】同電気掃除機の要部断面図
【図５】同電気掃除機の要部断面図
【図６】同電気掃除機の要部断面図
【図７】従来の電気掃除機の要部断面図
【符号の説明】
【００２８】
２    ファンモーター
３    集塵室
４    集塵袋
５    ホルダー
６    リブ
７    バネ（弾性体）
１５  蓋
【図１】
0004742962.tif 000002
【図２】
0004742962.tif 000003
【図３】
0004742962.tif 000004
【図４】
0004742962.tif 000005
【図５】
0004742962.tif 000006
【図６】
0004742962.tif 000007
【図７】
0004742962.tif 000008